(57)【要約】      （修正有）【課題】磁気部品、コンバータ及びインダクタを提供する。【解決手段】磁気部品１００が磁気コア１１０及びコイル１２０を含み、磁気コアが第１乃至第３巻線ウィンドウを含み、ここで、第１巻線ウィンドウＡと第２巻線ウィンドウＢとの間に第１共通磁気カラム１１１を有し、第２巻線ウィンドウと第３巻線ウィンドウＣとの間に第２共通磁気カラム１１２を有する。第１コイル１２１が第１巻線ウィンドウに巻いて設けられ、第２コイル１２２が第２巻線ウィンドウに巻いて設けられ、第３コイル１２３が第３巻線ウィンドウに巻いて設けられる。第１コイル乃至第３コイルに同じ電流を通す場合、第１及び第２巻線ウィンドウを形成する磁気コアユニットにそれぞれ発生した磁束ΦＡ，ΦＢが第１共通磁気カラム上で加算され、第２及び第３巻線ウィンドウを形成する磁気コアユニットにそれぞれ発生した磁束ΦＢ，ΦＣが第２共通磁気カラム上で加算される。【選択図】図１
2019140388.tif 000002
【特許請求の範囲】
【請求項１】
磁気コア及びコイルを含み、
前記磁気コアが、第１巻線ウィンドウ、第２巻線ウィンドウ及び第３巻線ウィンドウを含み、第１巻線ウィンドウと第２巻線ウィンドウとの間に第１共通磁気カラムを有し、第２巻線ウィンドウと第３巻線ウィンドウとの間に第２共通磁気カラムを有し、
前記コイルが、第１コイル、第２コイル及び第３コイルを含み、前記第１コイルが前記第１巻線ウィンドウに巻いて設けられ、前記第２コイルが前記第２巻線ウィンドウに巻いて設けられ、前記第３コイルが前記第３巻線ウィンドウに巻いて設けられ、
巻線ウィンドウと前記コイルとは、前記第１コイル乃至前記第３コイルに同じ電流を通す場合、前記第１巻線ウィンドウ及び前記第２巻線ウィンドウを形成する各磁気コアユニットにそれぞれ発生した磁束が前記第１共通磁気カラム上で加算され、前記第２巻線ウィンドウ及び前記第３巻線ウィンドウを形成する各磁気コアユニットにそれぞれ発生した磁束が前記第２共通磁気カラム上で加算されるように構成される、磁気部品。
【請求項２】
前記巻線ウィンドウと前記コイルとは、
前記第１コイル乃至前記第３コイルに同じ電流を通す場合、前記第１巻線ウィンドウを形成する磁気コアユニットに発生した磁束と前記第２巻線ウィンドウを形成する磁気コアユニットに発生した磁束とが反対方向の磁束であり、前記第２巻線ウィンドウを形成する磁気コアユニットに発生した磁束と前記第３巻線ウィンドウを形成する磁気コアユニットに発生した磁束とが反対方向の磁束であり、前記第１巻線ウィンドウを形成する磁気コアユニットに発生した磁束と前記第３巻線ウィンドウを形成する磁気コアユニットに発生した磁束とが同じ方向の磁束であるように構成される、
請求項１に記載の磁気部品。
【請求項３】
前記巻線ウィンドウと前記コイルとは、
前記第１コイル乃至前記第３コイルに同じ電流を通す場合、第１共通磁気カラムの磁束と第２共通磁気カラムの磁束とが反対方向の磁束であるように構成される、
請求項１に記載の磁気部品。
【請求項４】
前記第１コイル乃至前記第３コイルが、少なくとも１つのサブコイルをそれぞれ有し、
前記少なくとも１つのサブコイルが、前記第１巻線ウィンドウ乃至前記第３巻線ウィンドウを形成する各磁気コアユニットの同じまたは異なる磁気カラムにそれぞれ巻かれ、
前記コイルに同じ電流を通す場合、同一の巻線ウィンドウに巻かれた前記少なくとも１つのサブコイルは、前記同一の巻線ウィンドウの磁気コアユニットに発生した磁束ループの方向が同じである、
請求項１に記載の磁気部品。
【請求項５】
前記磁気コアが、第１のＵ字状の磁気コアユニット、第２のＵ字状の磁気コアユニット、第３のＵ字状の磁気コアユニット及び第１のＩ字状の磁気コアユニットを含み、
前記第１のＵ字状の磁気コアユニットと前記第２のＵ字状の磁気コアユニットの底部とが前記第１巻線ウィンドウを構成し、前記第２のＵ字状の磁気コアユニットと前記第３のＵ字状の磁気コアユニットの底部とが前記第２巻線ウィンドウを構成し、前記第３のＵ字状の磁気コアユニットと前記第１のＩ字状の磁気コアユニットとが前記第３巻線ウィンドウを構成し、前記第２のＵ字状の磁気コアユニットの底部が前記第１共通磁気カラムを構成し、前記第３のＵ字状の磁気コアユニットの底部が前記第２共通磁気カラムを構成し、
前記第１コイル乃至前記第３コイルは、前記第１のＵ字状の磁気コアユニット乃至前記第３のＵ字状の磁気コアユニットの側カラムに設けられる、
請求項１に記載の磁気部品。
【請求項６】
前記磁気コアが、第１のＵ字状の磁気コアユニット、第２のＵ字状の磁気コアユニット、第１の工字状の磁気コアユニット及び第２の工字状の磁気コアユニットを含み、
前記第１のＵ字状の磁気コアユニットと前記第１の工字状の磁気コアユニットとが前記第１巻線ウィンドウを構成し、前記第１の工字状の磁気コアユニットと前記第２の工字状の磁気コアユニットとが前記第２巻線ウィンドウを構成し、前記第２のＵ字状の磁気コアユニットと前記第２の工字状の磁気コアユニットとが前記第３巻線ウィンドウを構成し、前記第１の工字状の磁気コアユニットの中央カラムが前記第１共通磁気カラムを構成し、前記第２の工字状の磁気コアユニットの中央カラムが前記第２共通磁気カラムを構成する、
請求項１に記載の磁気部品。
【請求項７】
前記第１コイル乃至前記第３コイルは、前記第１のＵ字状の磁気コアユニットと前記第２のＵ字状の磁気コアユニットの側カラム及び前記第１の工字状の磁気コアユニットと前記第２の工字状の磁気コアユニットの側カラムに設けられる、
請求項６に記載の磁気部品。
【請求項８】
前記第１のＵ字状の磁気コアユニットと前記第１の工字状の磁気コアユニットの側カラムの間に第１エアギャップを有し、前記第１コイルが、前記第１のＵ字状の磁気コアユニットと前記第１の工字状の磁気コアユニットの側カラムに巻いて設けられ、前記第１エアギャップをカバーし、
前記第１の工字状の磁気コアユニットと前記第２の工字状の磁気コアユニットの側カラムの間に第２エアギャップを有し、前記第２コイルが、前記第１の工字状の磁気コアユニットと前記第２の工字状の磁気コアユニットの側カラムに巻いて設けられ、前記第２エアギャップをカバーし、
前記第２の工字状の磁気コアユニットと前記第２のＵ字状の磁気コアユニットの側カラムの間に第３エアギャップを有し、前記第３コイルが、前記第２の工字状の磁気コアユニットと前記第２のＵ字状の磁気コアユニットの側カラムに巻いて設けられ、前記第３エアギャップをカバーする、
請求項７に記載の磁気部品。
【請求項９】
前記磁気コアが、第１のＥ字状の磁気コアユニット、第２のＥ字状の磁気コアユニット、第３のＥ字状の磁気コアユニット及び第１のＩ字状の磁気コアユニットを含み、
前記第１のＥ字状の磁気コアユニットと前記第２のＥ字状の磁気コアユニットの底部とが前記第１巻線ウィンドウを構成し、前記第２のＥ字状の磁気コアユニットと前記第３のＥ字状の磁気コアユニットの底部とが前記第２巻線ウィンドウを構成し、前記第３のＥ字状の磁気コアユニットと前記第１のＩ字状の磁気コアユニットとが前記第３巻線ウィンドウを構成し、前記第２のＥ字状の磁気コアユニットの底部が前記第１共通磁気カラムを構成し、前記第３のＥ字状の磁気コアユニットの底部が前記第２共通磁気カラムを構成し、
前記第１コイル乃至前記第３コイルは、前記第１のＥ字状の磁気コアユニット乃至前記第３のＥ字状の磁気コアユニットの中間カラムにそれぞれ設けられる、
請求項１に記載の磁気部品。
【請求項１０】
前記巻線ウィンドウと前記コイルとは、
前記第１コイル乃至前記第３コイルに同じ電流を通す場合、前記第１共通磁気カラムと前記第２共通磁気カラムに発生した磁束の振幅値が、前記第１巻線ウィンドウを形成する磁気コアユニット、前記第２巻線ウィンドウを形成する磁気コアユニット及び前記第３巻線ウィンドウを形成する磁気コアユニットに発生した磁束の振幅値と同じであるよう構成される、
請求項１に記載の磁気部品。
【請求項１１】
各共通磁気カラムにエアギャップが存在しない、
請求項１に記載の磁気部品。
【請求項１２】
請求項１乃至１１のいずれか一項に前記の磁気部品を含み、
前記第１コイル乃至前記第３コイルが、三相変圧器の１次コイルをそれぞれ構成し、
前記三相変圧器が第１の２次コイル乃至第３の２次コイルをさらに含み、前記第１の２次コイル乃至前記第３の２次コイルが、前記第１コイル乃至前記第３コイルと同じ磁気カラムに巻かれる、三相ＬＬＣ共振コンバータ。
【請求項１３】
前記第１コイル乃至前記第３コイル内の各コイルが共振コンデンサにそれぞれ接続される、
請求項１２に記載の三相ＬＬＣ共振コンバータ。
【請求項１４】
前記第１コイル乃至前記第３コイルの動作電流は、位相が約１２０°互いにずれている、
請求項１２に記載の三相ＬＬＣ共振コンバータ。
【請求項１５】
前記第１コイル乃至前記第３コイルの動作電流が、正弦波、矩形波、三角波又はパルス波の交流のうちの少なくとも１つを含む、
請求項１２に記載の三相ＬＬＣ共振コンバータ。
【請求項１６】
請求項１乃至１１のいずれか一項に前記の磁気部品を含む、三相インダクタ。
【請求項１７】
前記第１コイル乃至前記第３コイルの動作電流は、位相が約１２０°互いにずれている、
請求項１６に記載の三相インダクタ。
【請求項１８】
前記第１コイル乃至前記第３コイル内の各コイルが共振コンデンサにそれぞれ接続される、
請求項１６に記載の三相インダクタ。
【発明の詳細な説明】
【技術分野】
【０００１】
本発明は磁気部品、コンバータ及びインダクタに関し、具体的に、高電力密度を有する磁気部品、コンバータ及びインダクタに関する。
【背景技術】
【０００２】
通常、磁気部品の電源システム全体の体積及び重量に占める割合が大きいので、磁気部品の体積及び重量をどのように低減させるかは、電源システム（例えば、三相ＬＬＣ共振コンバータである）の電力密度を向上させるための課題である。
【０００３】
しかし、従来の三相ＬＬＣ共振コンバータにおいて、３つの共振インダクタと３つの変圧器が、独立した磁気コアをそれぞれ使用し、独立した閉鎖磁気経路を形成している。この場合、電源システム全体の体積及び重量を増加させ、電源システムの製造コストを増大させる。また、回路が動作している時、各コンバータの磁気部品の磁気コアに大きい磁気損失が発生する。三相ＬＬＣ共振コンバータにおいて複数の磁気部品が独立した磁気コアをそれぞれ使用し独立した閉鎖磁気経路を形成する場合、従来の電源システムにおいて大きい磁気損失が発生するという課題が存在する。
【０００４】
なお、上記の背景技術に開示される情報は、本開示の背景の理解を容易にするためのものであるため、当業者に開示しない従来技術を構成しない情報が含まれることができる。
【発明の概要】
【０００５】
本発明の各形態は、高電力密度を有する磁気部品、コンバータ及びインダクタを提供する。また、本発明の各形態は、小さい磁気コア体積を有する磁気部品、コンバータ及びインダクタを提供する。
【０００６】
本願の1つの形態は、磁気部品（磁気デバイス）を提供し、磁気コア及びコイルを含み、磁気コアが、第１巻線ウィンドウ、第２巻線ウィンドウ及び第３巻線ウィンドウを含み、ここで、第１巻線ウィンドウと第２巻線ウィンドウとの間に第１共通磁気カラムを有し、第２巻線ウィンドウと第３巻線ウィンドウとの間に第２共通磁気カラムを有し、コイルが、第１コイル、第２コイル及び第３コイルを含み、ここで、前記第１コイルが前記第１巻線ウィンドウに巻いて設けられ、前記第２コイルが前記第２巻線ウィンドウに巻いて設けられ、前記第３コイルが前記第３巻線ウィンドウに巻いて設けられ、ここで、巻線ウィンドウと前記コイルとは、前記第１コイル乃至前記第３コイルに同じ電流を通す場合、前記第１巻線ウィンドウ及び前記第２巻線ウィンドウを形成する各磁気コアユニットにそれぞれ発生した磁束が前記第１共通磁気カラム上で加算され、前記第２巻線ウィンドウ及び前記第３巻線ウィンドウを形成する各磁気コアユニットにそれぞれ発生した磁束が前記第２共通磁気カラム上で加算されるように構成される。
【０００７】
１つの実施例において、前記巻線ウィンドウと前記コイルとは、前記第１コイル乃至前記第３コイルに同じ電流を通す場合、第１巻線ウィンドウを形成する磁気コアユニットに発生した磁束と第２巻線ウィンドウを形成する磁気コアユニットに発生した磁束とが反対方向の磁束であり、第２巻線ウィンドウを形成する磁気コアユニットに発生した磁束と第３巻線ウィンドウを形成する磁気コアユニットに発生した磁束とが反対方向の磁束であり、第１巻線ウィンドウを形成する磁気コアユニットに発生した磁束と第３巻線ウィンドウを形成する磁気コアユニットに発生した磁束とが同じ方向の磁束であるように構成される。
【０００８】
１つの実施例において、前記巻線ウィンドウと前記コイルとは、前記第１コイル乃至前記第３コイルに同じ電流を通す場合、第１共通磁気カラムの磁束の方向と第２共通磁気カラムの磁束とが反対方向の磁束であるように構成される。
【０００９】
１つの実施例において、前記第１コイル乃至前記第３コイルは、少なくとも１つのサブコイルをそれぞれ有し、前記少なくとも１つのサブコイルが、前記第１巻線ウィンドウ乃至前記第３巻線ウィンドウを形成する各磁気コアユニットの同じまたは異なる磁気カラムにそれぞれ巻かれ、ここで、前記コイルに同じ電流を通す場合、同一の巻線ウィンドウに巻かれた前記少なくとも１つのサブコイルは、前記同一の巻線ウィンドウの磁気コアユニットに発生した磁束ループの方向が同じである。
【００１０】
１つの実施例において、前記磁気コアが、第１のＵ字状の磁気コアユニット、第２のＵ字状の磁気コアユニット、第３のＵ字状の磁気コアユニット及び第１のＩ字状の磁気コアユニットを含み、ここで、前記第１のＵ字状の磁気コアユニットと第２のＵ字状の磁気コアユニットの底部とが前記第１巻線ウィンドウを構成し、前記第２のＵ字状の磁気コアユニットと第３のＵ字状の磁気コアユニットの底部とが前記第２巻線ウィンドウを構成し、前記第３のＵ字状の磁気コアユニットと前記第１のＩ字状の磁気コアユニットとが前記第３巻線ウィンドウを構成し、前記第２のＵ字状の磁気コアユニットの底部が前記第１共通磁気カラムを構成し、前記第３のＵ字状の磁気コアユニットの底部が前記第２共通磁気カラムを構成し、前記第１コイル乃至前記第３コイルは、前記第１のＵ字状の磁気コアユニット乃至前記第３のＵ字状の磁気コアユニットの側カラムに設けられる。
【００１１】
１つの実施例において、前記磁気コアが、第１のＵ字状の磁気コアユニット、第２のＵ字状の磁気コアユニット、第１の工字状の磁気コアユニット及び第２の工字状の磁気コアユニットを含み、ここで、前記第１のＵ字状の磁気コアユニットと前記第１の工字状の磁気コアユニットとが前記第１巻線ウィンドウを構成し、第１の工字状の磁気コアユニットと第２の工字状の磁気コアユニットとが第２巻線ウィンドウを構成し、第２のＵ字状の磁気コアユニットと前記第２の工字状の磁気コアユニットとが前記第３巻線ウィンドウを構成し、前記第１の工字状の磁気コアユニットの中央カラムが前記第１共通磁気カラムを構成し、前記第２の工字状の磁気コアユニットの中央カラムが前記第２共通磁気カラムを構成する。
【００１２】
１つの実施例において、前記第１コイル乃至前記第３コイルは、前記第１のＵ字状の磁気コアユニットと第２のＵ字状の磁気コアユニットの側カラム、及び前記第１の工字状の磁気コアユニットと第２の工字状の磁気コアユニットの側カラムに設けられる。
【００１３】
１つの実施例において、前記第１のＵ字状の磁気コアユニットと前記第１の工字状の磁気コアユニットの側カラムの間に第１エアギャップを有し、前記第１コイルが、前記第１のＵ字状の磁気コアユニットと前記第１の工字状の磁気コアユニットの側カラムに巻いて設けられ、前記第１エアギャップをカバーし、前記第１の工字状の磁気コアユニットと前記第２の工字状の磁気コアユニットの側カラムの間に第２エアギャップを有し、前記第２コイルが前記第１の工字状の磁気コアユニットと前記第２の工字状の磁気コアユニットの側カラムに巻いて設けられ、前記第２エアギャップをカバーし、前記第２の工字状の磁気コアユニットと前記第２のＵ字状の磁気コアユニットの側カラムの間に第３エアギャップを有し、前記第３コイルが、前記第２の工字状の磁気コアユニットと前記第２のＵ字状の磁気コアユニットの側カラムに巻いて設けられ、前記第３エアギャップをカバーする。
【００１４】
１つの実施例において、前記磁気コアが、第１のＥ字状の磁気コアユニット、第２のＥ字状の磁気コアユニット、第３のＥ字状の磁気コアユニット及び第１のＩ字状の磁気コアユニットを含み、ここで、前記第１のＥ字状の磁気コアユニットと第２のＥ字状の磁気コアユニットの底部とが前記第１巻線ウィンドウを構成し、前記第２のＥ字状の磁気コアユニットと第３のＥ字状の磁気コアユニットの底部とが前記第２巻線ウィンドウを構成し、前記第３のＥ字状の磁気コアユニットと前記第１のＩ字状の磁気コアユニットとが前記第３巻線ウィンドウを構成し、前記第２のＥ字状の磁気コアユニットの底部が前記第１共通磁気カラムを構成し、前記第３のＥ字状の磁気コアユニットの底部が前記第２共通磁気カラムを構成し、前記第１コイル乃至前記第３コイルは、前記第１のＥ字状の磁気コアユニット乃至前記第３のＥ字状の磁気コアユニットの中間カラムにそれぞれ設けられる。
【００１５】
１つの実施例において、前記巻線ウィンドウと前記コイルとは、前記第１コイル乃至前記第３コイルに同じ電流を通す場合、前記第１共通磁気カラムと前記第２共通磁気カラムに発生した磁束の振幅値が、第１巻線ウィンドウを形成する磁気コアユニット、第２巻線ウィンドウを形成する磁気コアユニット及び第３巻線ウィンドウを形成する磁気コアユニットに発生した磁束の振幅値と同じである。
【００１６】
１つの実施例において、各共通磁気カラムにエアギャップが存在しない。
【００１７】
本願の１つの形態は、三相ＬＬＣ共振コンバータを提供し、本発明の上記の形態の磁気部品を含み、ここで、前記第１コイル乃至前記第３コイルが、三相変圧器の１次コイルをそれぞれ構成し、前記三相変圧器が第１の２次コイル乃至第３の２次コイルをさらに含み、前記第１の２次コイル乃至前記第３の２次コイルが、前記第１コイル乃至前記第３コイルと同じ磁気カラムに巻かれる。
【００１８】
１つの実施例において、前記第１コイル乃至前記第３コイル内の各コイルが共振コンデンサにそれぞれ接続される。
【００１９】
１つの実施例において、前記第１コイル乃至前記第３コイルの動作電流は、位相が約１２０°互いにずれている。
【００２０】
１つの実施例において、前記第１コイル乃至前記第３コイルの動作電流が、正弦波、矩形波、三角波又はパルス波の交流のうちの少なくとも１つを含む。
【００２１】
本願の１つの形態は、前記の形態の磁気部品を含む三相インダクタを提供する。
【００２２】
１つの実施例において、前記第１コイル乃至前記第３コイルの動作電流は、位相が約１２０°互いにずれている。
【００２３】
１つの実施例において、前記第１コイル乃至前記第３コイル内の各コイルが共振コンデンサにそれぞれ接続される。
【００２４】
本願の磁気部品によって、磁気コア及びコイルを含み、磁気コアが第１巻線ウィンドウ、第２巻線ウィンドウ及び第３巻線ウィンドウを含み、ここで、第１巻線ウィンドウと第２巻線ウィンドウとの間に第１共通磁気カラムを有し、第２巻線ウィンドウと第３巻線ウィンドウとの間に第２共通磁気カラムを有し、コイルが第１コイル、第２コイル及び第３コイルを有し、ここで、前記第１コイルが前記第１巻線ウィンドウに巻いて設けられ、前記第２コイルが前記第２巻線ウィンドウに巻いて設けられ、前記第３コイルが前記第３巻線ウィンドウに巻いて設けられ、ここで、前記巻線ウィンドウと前記コイルとは、前記第１コイル乃至前記第３コイルに同じ電流を通す場合、前記第１巻線ウィンドウ及び前記第２巻線ウィンドウを形成する各磁気コアユニットにそれぞれ発生した磁束が前記第１共通磁気カラム上で加算され、前記第２巻線ウィンドウ及び前記第３巻線ウィンドウを形成する各磁気コアユニットにそれぞれ発生した磁束が前記第２共通磁気カラム上で加算されるように構成されることで、共通磁気カラム内の磁束を減少させて、磁気部品が小さい磁気コア体積を有することができる。
【００２５】
なお、以上の記載や以下の記載は、例示や解釈的なものであるが、本開示を限定するものではない。
【００２６】
ここで提供される本願の技術による各実施の形態又は説明は、開示される技術の全ての内容又は全ての特徴でない。
【図面の簡単な説明】
【００２７】
ここの図面は、明細書に組み入れ明細書の一部とし、本開示に適合する実施例を示し、明細書とともに本開示の原理を解釈するために用いられる。以下の記載において、図面が本開示のいくつか実施例であり、当業者は、進歩的な労働を出さない場合でも、これらの図面に基づいて他の図面を得ることは明らかである。
【００２８】
【図１】本発明の実施例における磁気部品を示す模式図である。
【図２】図１に示す磁気部品を通電する時に各巻線に発生した磁束及び共通磁気カラム内の磁束を示す図である。
【図３】本発明の実施例における磁気部品を示す模式図である。
【図４】本発明の実施例における磁気部品を示す模式図である。
【図５】本発明の実施例における磁気部品を示す模式図である。
【図６】本発明の実施例における三相ＬＬＣ共振コンバータを示す模式図である。
【図７】本発明の実施例における三相変圧器を示す模式図である。
【図８】本発明の実施例における三相変圧器を示す模式図である。
【発明を実施するための形態】
【００２９】
以下、図面を参照し、例示的な実施の形態をより全面的に説明する。なお、例示的な実施の形態は、多種の形態により実施される可能であり、かつ、これらの例に限定すると理解すべきでなく、逆に、これらの実施の形態を提供して本開示がさらに全面化や完全化し、例示的な実施の形態の思想を当業者に全面的に伝達する。記載されている特徴、構成、または特性は、いかなる適当な方式で１つ以上の実施の形態に組み入れることもできる。以下の記載において、多くの細部を提供して本開示の実施の形態をよく理解する。なお、当業者は、本開示の技術案を実施して１つ以上の特定の細部を省略し、又は他の方法、部品、装置、ステップ等を利用することができることを認識すべきである。その他の場合、本開示の各形態に影響を与えて不明瞭にならないように、既知の技術案を詳しく示さなく、説明しない。
【００３０】
なお、図面は、本開示の例示的なものであり、図に同じ図面記号が同じ又は類似の部分を示すため、これらに対する重複の説明を省略する。図面に示すいくつかのブロック図は、機能的エンティティであり、物理やロジック的に分離したエンティティに必ずしも対応する必要がない。ソフトウェア形態によりこれらの機能的エンティティを実現し、又は１つ以上のハードウェアモジュールや集積ループにおいてこれらの機能的エンティティを実現し、又は異なるネットワーク及び／又はプロセッサー装置及び／又はマイクロコントローラ装置においてこれらの機能的エンティティを実現することができる。
【００３１】
本実施例において、まず、磁気部品（磁気デバイス）を提供し、図１を参照すると、前記磁気部品１００が、磁気コア１１０及びコイル１２０を含み、当該磁気コア１１０が、第１巻線ウィンドウＡ、第２巻線ウィンドウＢ及び第３巻線ウィンドウＣを含み、ここで、第１巻線ウィンドウＡと第２巻線ウィンドウＢとの間に第１共通磁気カラム１１１を有し、第２巻線ウィンドウＢと第３巻線ウィンドウＣとの間に第２共通磁気カラム１１２を有し、コイル１２０が、第１コイル１２１、第２コイル１２２及び第３コイル１２３を含み、ここで、前記第１コイル１２１が前記第１巻線ウィンドウＡに巻いて設けられ、前記第２コイル１２２が前記第２巻線ウィンドウＢに巻いて設けられ、前記第３コイル１２３が前記第３巻線ウィンドウＣに巻いて設けられる。
【００３２】
本実施例において、図１を参照すると、第１コイル１２１乃至第３コイル１２３に電流ｉＡ、ｉＢ及びｉＣをそれぞれ通す場合、磁気コア１１０において、第１巻線ウィンドウＡ、第２巻線ウィンドウＢ及び第３巻線ウィンドウＣをそれぞれ形成する磁気コアユニットに発生した磁束ΦＡ、ΦＢ及びΦＣを示す。図１に示すように、前記第１コイル１２１乃至前記第３コイル１２３に同じ電流を通す場合、第１巻線ウィンドウＡ及び第２巻線ウィンドウＢを形成する磁気コアユニットにそれぞれ発生した磁束ΦＡとΦＢとが、前記第１共通磁気カラム１１１で加算され、第２巻線ウィンドウＢ及び第３巻線ウィンドウＣを形成する磁気コアユニットにそれぞれ発生した磁束ΦＢとΦＣとが、前記第２共通磁気カラム１１２で加算される。
【００３３】
具体的に、図１を参照すると、第１巻線ウィンドウＡを形成する磁気コアユニットに発生した磁束ΦＡと第２巻線ウィンドウＢを形成する磁気コアユニットに発生した磁束ΦＢとが反対方向の磁束であり、且つ、第２巻線ウィンドウＢを形成する磁気コアユニットに発生した磁束ΦＢと第３巻線ウィンドウＣを形成する磁気コアユニットに発生した磁束ΦＣとが反対方向の磁束である。また、第１巻線ウィンドウＡを形成する磁気コアユニットに発生した磁束ΦＡと第３巻線ウィンドウＣを形成する磁気コアユニットに発生した磁束ΦＣとが同じ方向の磁束である。例えば、図１に示すように、磁束ΦＡが時計方向に沿って、磁束ΦＢが反時計方向に沿って、磁束ΦＣが時計方向に沿う。
【００３４】
また、本実施例において、第１共通磁気カラム１１１上の磁束と第２共通磁気カラム１１２上の磁束とが反対方向の磁束である。例えば、図１を参照すると、第１共通磁気カラム１１１上の磁束が下方向に沿って、第２共通磁気カラム１１２上の磁束の方向が上方向に沿う。
【００３５】
本実施例において、第１共通磁気カラム１１１と第２共通磁気カラム１１２とが隣接する巻線ウィンドウによりそれぞれ共用されるため、第１共通磁気カラム１１１と第２共通磁気カラム１１２とが低い磁気抵抗を有することが好ましい。１つの実施例において、第１共通磁気カラム１１１と第２共通磁気カラム１１２にエアギャップを設けることで、第１共通磁気カラム１１１と第２共通磁気カラム１１２の磁気抵抗を低減させることができる。
【００３６】
本実施例において、単語の「同じ電流」を使用して電流の同じ方向を示してもよく、例えば、共に正の電流又は負の電流である。他の実施例において、同じ電流を使用して同じ電流の大きさや位相を示してもよい。また、この実施例において、単語の「同じ電流」を使用して磁気コア１１０とコイル１２０の構成を限定するが、磁気部品が動作している過程において、各コイルに通す電流が上記の同じ電流に限定されなく、実際に応じて設定することが当業者にとって理解される。つまり、例えば、図１に示す磁束が同じ電流であるｉＡ、ｉＢ及びｉＣを利用して磁気コアに発生したものであるが、実際の動作において、磁束が動作電流ｉＡ、ｉＢ及びｉＣの変化によってリアルタイムに変更する可能性がある。
【００３７】
本実施例において、第１コイル１２１、第２コイル１２２及び第３コイル１２３の巻き数が互いに同じであってもよい。第１コイル１２１、第２コイル１２２及び第３コイル１２３の巻き数が同じであり、第１コイル１２１、第２コイル１２２及び第３コイル１２３に通す電流ｉＡ、ｉＢ及びｉＣが同じ電流である場合、それに対応し、発生した磁束ΦＡ、ΦＢ及びΦＣも互いに同じである。
【００３８】
例えば、図２は図１に示す磁気部品の通電時の各巻線に発生した磁束ΦＡ、ΦＢ及びΦＣ、共通磁気カラム内の磁束Φ１及びΦ２を示す。図２に示すように、ｉＡ、ｉＢ及びｉＣの位相が１２０°互いにずれている正弦電流である場合、それに対応し、発生した磁束ΦＡ、ΦＢ及びΦＣも正弦変化の規則を満たしている。この場合、第１共通磁気カラム１１１と第２共通磁気カラム１１２において、２つのコイルにより発生した磁束が加算されるため、第１共通磁気カラム１１１と第２共通磁気カラム１１２上の磁束Φ１とΦ２も正弦変化の規則を満たし、さらに、各磁束の位相が１２０°互いにずれているため、磁束Φ１とΦ２の振幅値が磁束ΦＡ、ΦＢ及びΦＣの振幅値と同じである。
【００３９】
本実施例において、共通磁気カラム上の磁束が加算され、共通磁気カラム上の磁束の振幅値が各巻線ウィンドウ内の磁束の振幅値と同じであるため、共通磁気カラムに通す磁束を低減させ、共通磁気カラムの体積及び共通磁気カラムのロス増加を回避し、小さい体積を有する磁気部品を実現するのに有利である。
【００４０】
図３は本発明の実施例における磁気部品の模式図を示す。図３に示す実施例は、上記の図１に示す実施例と類似する構成を有するため、一部の重複の説明を省略する。
【００４１】
本実施例において、前記第１コイル１２１乃至前記第３コイル１２３が、少なくとも１つのサブコイルをそれぞれ有し、前記少なくとも１つのサブコイルが前記第１巻線ウィンドウＡ乃至前記第３巻線ウィンドウＣを形成する磁気コアユニットの同じ又は異なる磁気カラムにそれぞれ巻かれ、ここで、前記コイルに同じ電流を通す場合、同一の巻線ウィンドウに巻かれた前記少なくとも１つのサブコイルは、前記同一の巻線ウィンドウを生成する磁気コアユニットに発生した磁束ループの方向が同じである。
【００４２】
具体的に、図３を参照すると、第１コイルが第１サブコイル１２１ａ及び第２サブコイル１２１ｂを含む。第１サブコイル１２１ａと第２サブコイル１２１ｂとが、第１巻線ウィンドウＡの異なる２つの磁気カラムにそれぞれ巻かれる。図３に示すように、第１サブコイル１２１ａと第２サブコイル１２１ｂに同じ電流（例えば電流ｉＡ）をそれぞれ通す場合、第１巻線ウィンドウＡの磁気コアユニットに発生した磁束ループΦＡが同じ方向（例えば、いずれも時計方向である）を有する。同様に、第２コイルと第３コイルとが同様の構成を有し、ここで説明を省略する。
【００４３】
本実施例において、図３を参照すると、磁気コア１１０が第１のＵ字状の磁気コアユニット１１、第２のＵ字状の磁気コアユニット１２、第３のＵ字状の磁気コアユニット１３及び第１のＩ字状の磁気コアユニット２１を含み、ここで、前記第１のＵ字状の磁気コアユニット１１と第２のＵ字状の磁気コアユニット１２の底部とが前記第１巻線ウィンドウＡを構成し、前記第２のＵ字状の磁気コアユニット１２と第３のＵ字状の磁気コアユニット１３の底部とが前記第２巻線ウィンドウＢを構成し、前記第３のＵ字状の磁気コアユニット１３と前記第１のＩ字状の磁気コアユニット２１とが前記第３巻線ウィンドウＣを構成し、前記第２のＵ字状の磁気コアユニット１２の底部が前記第１共通磁気カラム１１１を構成し、前記第３のＵ字状の磁気コアユニット１３の底部が前記第２共通磁気カラム１１２を構成する。
【００４４】
本実施例において、第１コイル乃至第３コイルが、第１のＵ字状の磁気コアユニット１１乃至第３のＵ字状の磁気コアユニット１３の側カラムにそれぞれ設けられる。本願はこれに限定されなく、第１コイル乃至第３コイルが他の方式で対応する巻線ウィンドウに設けられてもよい。
【００４５】
図３の実施例にＵ字状の磁気コアユニット及びＩ字状の磁気コアユニットを利用して磁気コア１１０を構成する例を示しているが、本願はこれに限定されない。具体的に、磁気コア１１０を構成する磁気コアユニットの形状は、図面に示す具体的な形状に限定されなく、類似する形状を有する磁気コアユニットによって構成されてもよい。また、磁気コアユニットの形状は、図面のＵ字状又はＩ字状に限定されなく、ここのＵ字状の磁気コアユニット及びＩ字状の磁気コアユニットに基づく変形もＵ字状の磁気コアユニット及びＩ字状の磁気コアユニットに含まれる。例えば、図面において、Ｕ字状の磁気コアユニットの２つの側カラムが底部にほぼ直交する直角部を示すが、本願はこれに限定されなく、Ｕ字状の磁気コアユニットの２つの側カラムが底部に対して柔軟な移行部分を形成して、当該Ｕ字状の磁気コアユニットがＣ字状になってもよい。
【００４６】
図４は本発明の実施例における磁気部品を示す模式図である。図４に示す実施例は、上記の図１に示す実施例と類似する構成を有するため、一部の重複の説明を省略する。
【００４７】
本実施例において、図４を参照すると、磁気コア１１０が第１のＵ字状の磁気コアユニット１１、第２のＵ字状の磁気コアユニット１２、第１の工字状の磁気コアユニット３１及び第２の工字状の磁気コアユニット３２を含み、ここで、前記第１のＵ字状の磁気コアユニット１１と前記第１の工字状の磁気コアユニット３１とが前記第１巻線ウィンドウＡを構成し、第１の工字状の磁気コアユニット３１と第２の工字状の磁気コアユニット３２とが第２巻線ウィンドウＢを構成し、第２のＵ字状の磁気コアユニット１２と前記第２の工字状の磁気コアユニット３２とが前記第３巻線ウィンドウＣを構成し、前記第１の工字状の磁気コアユニット３１の中央カラムが前記第１共通磁気カラム１１１を構成し、前記第２の工字状の磁気コアユニット３２の中央カラムが前記第２共通磁気カラム１１２を構成する。
【００４８】
本実施例において、前記第１コイル乃至前記第３コイルが、前記第１のＵ字状の磁気コアユニット１１と第２のＵ字状の磁気コアユニット１２の側カラム、及び前記第１の工字状の磁気コアユニット３１乃至第２の工字状の磁気コアユニット３２の側カラムにそれぞれ設けられる。
【００４９】
本実施例によって、前記第１巻線ウィンドウＡを形成する磁気コアユニット乃至前記第３巻線ウィンドウＣを形成する磁気コアユニットが、エアギャップを有し、前記第１コイル乃至前記第３コイルが前記エアギャップをそれぞれカバーする。具体的に、図４を参照すると、第１コイル（２つのサブコイルを含む）が、第１巻線ウィンドウＡを形成する第１のＵ字状の磁気コアユニット１１及び第１の工字状の磁気コアユニット３１の側カラムに巻いて設けられ、ここで、第１のＵ字状の磁気コアユニット１１が第１の工字状の磁気コアユニット３１の側カラムに対向し、一定の間隙を空けて、エアギャップを形成し、さらに、第１コイルが前記エアギャップをカバーするように構成される。第２コイル（２つのサブコイルを含む）が、第２巻線ウィンドウＢを形成する第１の工字状の磁気コアユニット３１及び第２の工字状の磁気コアユニット３２の側カラムに巻いて設けられ、ここで、第１の工字状の磁気コアユニット３１が第２の工字状の磁気コアユニット３２の側カラムに対向し、一定の間隙を空けて、エアギャップを形成し、さらに、第２コイルが前記エアギャップをカバーするように構成される。第３コイル（２つのサブコイルを含む）が、第３巻線ウィンドウＣを形成する第２の工字状の磁気コアユニット３２及び第２のＵ字状の磁気コアユニット１２の側カラムに巻いて設けられ、ここで、第２の工字状の磁気コアユニット３２が第２のＵ字状の磁気コアユニット１２の側カラムに対向し、一定の間隙を空けて、エアギャップを形成し、さらに、第３コイルが前記エアギャップをカバーするように構成される。この場合、コイルがエアギャップをカバーするため、エアギャップからの磁束漏れを回避することができる。磁束の外部への漏れを回避して、電源システムの信頼性を向上させることができる。
【００５０】
図４の実施例は、Ｕ字状の磁気コアユニット及びの工字状の磁気コアユニットを利用して磁気コア１１０を構成する例を示しているが、本願はこれに限定されない。具体的に、磁気コア１１０を構成する磁気コアユニットの形状は、図面に示す具体的な形状に限定されなく、類似する形状を有する磁気コアユニットによって構成されてもよい。また、磁気コアユニットの形状は、図面のＵ字状又はＩ字状に限定されなく、ここのＵ字状の磁気コアユニット及びＩ字状の磁気コアユニットに基づく変形もＵ字状の磁気コアユニット及びＩ字状の磁気コアユニットに含まれる。例えば、図面において、Ｕ字状の磁気コアユニットの２つの側カラムが底部にほぼ直交する直角部を示すが、本願はこれに限定されなく、Ｕ字状の磁気コアユニットの２つの側カラムが底部に対して柔軟な移行部分を形成して、当該Ｕ字状の磁気コアユニットがＣ字状になってもよい。また、図面において工字状の磁気コアユニットの側カラムが中間カラムにほぼ直交し、２つの側カラムの長さがほぼ同じであるが、本願はこれに限定されなく、工字状の磁気コアユニットの側カラムと中間カラムとの間に柔軟な移行部分を有し、２つの側カラムの長さが異なってもよい。例えば、具体的に、工字状の磁気コアユニットの１つの側カラムが短くなり、即ち、英小文字ｈに類似する形状に形成されてもよい。なお、本実施例において、工字状の磁気コアユニットの側カラムの長さを延長させ、Ｕ字状の磁気コアユニットの側カラムを短縮させて、Ｕ字状の磁気コアユニットが上記の実施例のＩ字状の磁気コアユニットに類似する形状を有してもよい。
【００５１】
図５は本発明の実施例における磁気部品を示す模式図である。図５に示す実施例は、上記の図１に示す実施例と類似する構成を有するため、一部の重複の説明を省略する。
【００５２】
本実施例において、図５を参照すると、磁気コア１１０が第１のＥ字状の磁気コアユニット４１、第２のＥ字状の磁気コアユニット４２、第３のＥ字状の磁気コアユニット４３及び第１のＩ字状の磁気コアユニット２１を含み、ここで、前記第１のＥ字状の磁気コアユニット４１と第２のＥ字状の磁気コアユニット４２の底部とが前記第１巻線ウィンドウＡを構成し、前記第２のＥ字状の磁気コアユニット４２と第３のＥ字状の磁気コアユニット４３の底部とが前記第２巻線ウィンドウＢを構成し、前記第３のＥ字状の磁気コアユニット４３と前記第１のＩ字状の磁気コアユニット２１とが前記第３巻線ウィンドウＣを構成し、前記第２のＥ字状の磁気コアユニット４２の底部が前記第１共通磁気カラム１１１を構成し、前記第３のＥ字状の磁気コアユニット４３の底部が前記第２共通磁気カラム１１２を構成する。
【００５３】
本実施例において、図５を参照すると、第１コイル乃至第３コイルが、第１のＥ字状の磁気コアユニット４１乃至前記第３のＥ字状の磁気コアユニット４３の中間カラムに設けられている。本願はこれに限定されない。第１コイル乃至第３コイルが他の巻線ウィンドウの他の磁気カラムに設けられてもよい。
【００５４】
また、上記の実施例と同様に、本実施例において、Ｅ字状の磁気コアユニットとＩ字状の磁気コアユニットの実際の形状が図面に示す形状に限定されない。
【００５５】
上記の実施例において、各磁気部品が３つの巻線ウィンドウを有するが、本願はこれに限定されない。本願の他の実施例において、上記の実施例の磁気コアユニットに基づいて拡張して、複数の巻線ウィンドウを有する磁気部品を得てもよい。
【００５６】
具体的に、本願の１つの実施例において、磁気部品が磁気コア及びコイルを含み、磁気コアが、第１巻線ウィンドウ乃至第Ｍ巻線ウィンドウを含み、前記第１巻線ウィンドウ乃至前記第Ｍ巻線ウィンドウにおいて、隣接する２つの巻線ウィンドウの間に共通磁気カラムを有し、コイルが、第１コイル乃至第Ｎコイルを含み、第１コイル乃至第Ｎコイルが、前記第１巻線ウィンドウ乃至前記第Ｍ巻線ウィンドウのうちの巻線ウィンドウにそれぞれ対応し、これに巻いて設けられる。ここで、前記巻線ウィンドウと前記コイルとは、前記第１コイル乃至前記第Ｎコイルに同じ電流を通す場合、前記第１巻線ウィンドウ乃至第Ｍ巻線ウィンドウにおいて、隣接する２つの巻線ウィンドウを形成する磁気コアユニットにそれぞれ発生した磁束が前記共通磁気カラム上で加算され、ここで、ＭとＮが２以上の正の整数である。
【００５７】
１つの実施例において、前記巻線ウィンドウと前記コイルとは、前記第１コイル乃至前記第Ｎコイルに同じ電流を通す場合、隣接する巻線ウィンドウを形成する磁気コアユニットに発生した磁束が反対方向の磁束であるように構成される。
【００５８】
１つの実施例において、前記第１コイル乃至前記第Ｎコイルが、少なくとも１つのサブコイルをそれぞれ有し、前記少なくとも１つのサブコイルが、前記第１巻線ウィンドウ乃至前記第Ｍ巻線ウィンドウを形成する磁気コアユニットの同じ又は異なる磁気カラムにそれぞれ巻かれ、ここで、前記コイルに同じ電流を通す場合、同一の巻線ウィンドウに巻かれた前記少なくとも１つのサブコイルは、前記同一の巻線ウィンドウの形成する磁気コアに発生した磁束ループの方向が同じである。
【００５９】
１つの実施例において、前記磁気コアが第１のＵ字状の磁気コアユニット乃至第ＭのＵ字状の磁気コアユニット及び第１のＩ字状の磁気コアユニットを含み、ここで、第ｉのＵ字状の磁気コアユニットと第（ｉ＋１）のＵ字状の磁気コアユニットの底部とが第ｉ巻線ウィンドウを構成し、第ＭのＵ字状の磁気コアユニットと前記第１のＩ字状の磁気コアユニットとが第Ｍ巻線ウィンドウを構成し、前記第（ｉ＋１）のＵ字状の磁気コアユニットの底部が前記共通磁気カラムを構成し、ここで、ｉが１以上且つＭより小さい正の整数であり、ここで、前記第１コイル乃至前記第Ｎコイルが、前記第１のＵ字状の磁気コアユニット乃至前記第ＭのＵ字状の磁気コアユニットの側カラムにそれぞれ設けられる。
【００６０】
１つの実施例において、前記磁気コアが、第１のＵ字状の磁気コアユニット、第２のＵ字状の磁気コアユニット、第１の工字状の磁気コアユニット乃至第（Ｍ−１）の工字状の磁気コアユニットを含み、ここで、前記第１のＵ字状の磁気コアユニットと前記第１の工字状の磁気コアユニットとが前記第１巻線ウィンドウを構成し、第ｉの工字状の磁気コアユニットと第（ｉ＋１）の工字状の磁気コアユニットとが第（ｉ＋１）巻線ウィンドウを構成し、第２のＵ字状の磁気コアユニットと前記（Ｍ−１）の工字状の磁気コアユニットとが前記第Ｍ巻線ウィンドウを構成し、前記の工字状の磁気コアユニットの中央カラムが前記共通磁気カラムを構成し、ここで、ｉが２以上且つ（Ｍ−１）より小さい正の整数であり、ここで、前記第１コイル乃至前記第Ｎコイルが、前記第１のＵ字状の磁気コアユニットと第２のＵ字状の磁気コアユニットの側カラム、及び前記第１の工字状の磁気コアユニット乃至第（Ｍ−１）の工字状の磁気コアユニットの側カラムにそれぞれ設けられる。
【００６１】
１つの実施例において、前記磁気コアが第１のＥ字状の磁気コアユニット乃至第ＭのＥ字状の磁気コアユニット、及び第１のＩ字状の磁気コアユニットを含み、ここで、第ｉのＥ字状の磁気コアユニットと第（ｉ＋１）のＥ字状の磁気コアユニットの底部とが第ｉ巻線ウィンドウを構成し、第ＭのＥ字状の磁気コアユニットと前記第１のＩ字状の磁気コアユニットとが第Ｍ巻線ウィンドウを構成し、前記第（ｉ＋１）のＥ字状の磁気コアユニットの底部が前記共通磁気カラムを構成し、ここで、ｉが１以上且つＭより小さい正の整数であり、ここで、前記第１コイル乃至前記第Ｎコイルが、前記第１のＥ字状の磁気コアユニット乃至前記第ＭのＥ字状の磁気コアユニットの中間カラムにそれぞれ設けられる。
【００６２】
上記の実施例と同様に、これらの実施例において、Ｕ字状の磁気コアユニット、Ｉ字状の磁気コアユニット、工字状の磁気コアユニット及びＥ字状の磁気コアユニットの実際に形状が本願の上記の実施例に示す形状に限定されなく、対応する変形も含まれる。
【００６３】
図６は本発明の実施例における三相ＬＬＣ共振コンバータの模式図を示す。本発明の１つの実施例において、図６に示すＬＬＣ共振コンバータが三相変圧器（以下図７及び図８を参照して説明する）を含んでもよい。
【００６４】
図６を参照すると、本発明の三相ＬＬＣ共振コンバータが共振インダクタＬＡ、ＬＢ、ＬＣ及び３つの変圧器ＴＡ、ＴＢ、ＴＣを含み、ここで、共振インダクタ及び変圧器のいずれも本発明の実施例の上記の磁気部品に含まれてもよい。
【００６５】
なお、図６がＬＬＣ共振コンバータの１つのトポロジー構造を示しているが、本願の範囲を超えない上で、当該ＬＬＣ共振コンバータが他のトポロジー構造を使用することができることは当業者にとって理解される。
【００６６】
図７は本発明の実施例における三相変圧器の模式図を示す。図７を参照すると、当該三相変圧器が本発明の上記の実施例の磁気部品１００を含む。
【００６７】
本実施例によって、磁気部品１００の第１コイル１２１、第２コイル１２２及び第３コイル１２３が、三相変圧器の１次コイル（例えば、図７に示すＮＡ、ＮＢ及びＮＣ）がそれぞれ構成し、当該三相変圧器が第１の２次コイルＮａ、第２の２次コイルＮｂ及び第３の２次コイルＮｃをさらに含み、前記第１の２次コイルＮａ、第２の２次コイルＮｂ及び第３の２次コイルＮｃが、第１コイル１２１、第２コイル１２２及び第３コイル１２３と同じ磁気カラムに巻かれている。ここで、図７に示す三相変圧器が図６に示すＬＬＣ共振コンバータに応用される場合、第１コイル１２１、第２コイル１２２及び第３コイル１２３の各コイルが、それに対応する共振コンデンサに接続される。具体的に、第１コイル１２１（１次コイルＮＡ）と第１の２次コイルＮａからなる変圧器ＴＡが第１共振コンデンサＣＡに直列接続され、第２コイル１２２（１次コイルＮＢ）と第２の２次コイルＮｂからなる変圧器ＴＢが第２共振コンデンサＣＢに直列接続され、第３コイル１２３（１次コイルＮＣ）と第３の２次コイルＮｃからなる変圧器ＴＣが第３共振コンデンサＣＣに直列接続されてもよい。なお、本願の各実施例が三相ＬＬＣ共振コンバータのコイルと共振コンデンサとの接続方式に限定されなく、三相ＬＬＣ共振コンバータの具体的なトポロジー構造によって、第１コイル１２１、第２コイル１２２及び第３コイル１２３内の各コイルがそれに対応する共振コンデンサに直列接続又は並列接続されてもよい。
【００６８】
本実施例によって、三相ＬＬＣ共振コンバータが動作している場合、第１コイル１２１、第２コイル１２２及び第３コイル１２３に対して、位相が互いにずれている動作電流を通してもよい。具体的に、第１コイル１２１、第２コイル１２２及び第３コイル１２３に通す動作電流の位相が１２０°ずれる。
【００６９】
本願によって、第１コイル１２１、第２コイル１２２及び第３コイル１２３に通す動作電流が、周期的に変化する電流、例えば、正弦波、矩形波、三角波又はパルス波の交流のうちの少なくとも１つであってもよい。本願はこれに限定されなく、要求に応じて、他の波の電流が第１コイル１２１、第２コイル１２２及び第３コイル１２３の動作電流に応用されてもよい。
【００７０】
図８は本発明の実施例における三相変圧器の模式図を示す。図８を参照すると、当該三相変圧器が本発明の実施例の上記の磁気部品１００を含む。
【００７１】
図８に示す実施例が図７に示す実施例とほぼ同じであり、相違点は、図８において、図５に示す磁気部品１００に類似する磁気部品を使用することである。他の内容は上記の図７の実施例を参照し、ここで説明を省略する。
【００７２】
本願の上記の実施例によって、例えば、図１及び図３〜５を参照すると、当該磁気部品が三相インダクタとして構成されてもよい。
【００７３】
本実施例によって、三相インダクタが動作している場合、第１コイル１２１、第２コイル１２２及び第３コイル１２３に対して、位相が互いにずれている動作電流を通してもよい。具体的に、第１コイル１２１、第２コイル１２２及び第３コイル１２３に通す動作電流の位相が１２０°ずれる。
【００７４】
本願によって、第１コイル１２１、第２コイル１２２及び第３コイル１２３に通す動作電流が、周期的に変化する電流、例えば、正弦波、矩形波、三角波又はパルス波の交流のうちの少なくとも１つであってもよい。本願はこれに限定されなく、要求に応じて、他の波の電流が第１コイル１２１、第２コイル１２２及び第３コイル１２３の動作電流に応用されてもよい。
【００７５】
本願によって、磁気部品が磁気コア及びコイルを含み、磁気コアが第１巻線ウィンドウ、第２巻線ウィンドウ及び第３巻線ウィンドウを含み、ここで、第１巻線ウィンドウと第２巻線ウィンドウとの間に第１共通磁気カラムを有し、第２巻線ウィンドウと第３巻線ウィンドウとの間に第２共通磁気カラムを有し、コイルが第１コイル、第２コイル及び第３コイルを有し、ここで、前記第１コイルが前記第１巻線ウィンドウに巻いて設けられ、前記第２コイルが前記第２巻線ウィンドウに巻いて設けられ、前記第３コイルが前記第３巻線ウィンドウに巻いて設けられ、ここで、前記巻線ウィンドウと前記コイルとは、前記第１コイル乃至前記第３コイルに同じ電流を通す場合、前記第１巻線ウィンドウ及び前記第２巻線ウィンドウを形成する各磁気コアユニットにそれぞれ発生した磁束が前記第１共通磁気カラム上で加算され、前記第２巻線ウィンドウ及び前記第３巻線ウィンドウを形成する各磁気コアユニットにそれぞれ発生した磁束が前記第２共通磁気カラム上で加算されるように構成されることで、共通磁気カラム内の磁束を低減させ、磁気部品が小さい磁気コア体積を有することができる。
【００７６】
当業者は、明細書を参照してここで開示される発明を実施すれば、本開示の他の実施の形態を容易に想到する。本願は、本開示のいかなる変形、応用又は適性変化をも包含することを意図し、これらの変形、応用又は適性変化は、本開示の通常原理に従い、本開示に開示されない本技術分野での周知の知識又は慣用技術を含む。明細書と実施例は、例示的なものであり、本開示の範囲と思想は、特許請求の範囲によって示す。
【００７７】
なお、本発明は、以上に記載され図面に示す構成に限定されなく、その要旨を逸脱しない範囲内で種々変形して実施することが可能である。本発明の範囲は、特許請求の範囲によって示す。
【図１】
2019140388.tif 000003
【図２】
2019140388.tif 000004
【図３】
2019140388.tif 000005
【図４】
2019140388.tif 000006
【図５】
2019140388.tif 000007
【図６】
2019140388.tif 000008
【図７】
2019140388.tif 000009
【図８】
2019140388.tif 000010